(57)【要約】【課題】撮像素子と撮像回路との間を確実に接続でき、小型化を図る上で有利なレンズ鏡筒および撮像装置を提供する。【解決手段】撮像素子１２８のパッケージ１２８Ｂの下面１２８Ｃ３には複数の第１接続端子６６が設けられている。フレキシブル基板１２９は、撮像素子載置部７０と、延出部７２と、連結部７４とを含んで構成されている。撮像素子載置部７０は、フレキシブル基板１２９の部分と、このフレキシブル基板１２９の部分の表面に前記各第１接続端子６６に合致するように設けられた複数の第２接続端子６８とを有している。金属板６４は、撮像素子載置部７０を構成するフレキシブル基板１２９の部分の背面でパッケージ１２８Ｂの厚さ方向から見てパッケージ１２８Ｂの輪郭に一致させた位置で接着などによって取着されている。【選択図】        図２２
2005124099.tif 000002
【特許請求の範囲】
【請求項１】
鏡筒の内部に設けられ被写体像を導く光学系と、
前記鏡筒の内部で前記光学系の光路上に設けられた撮像素子と、
前記撮像素子に接続され該撮像素子と前記鏡筒の外部に設けられた撮像回路との間で信号の伝送を行なうフレキシブル基板とを有するレンズ鏡筒であって、
前記撮像素子は、板状を呈するパッケージと、該パッケージの表面に臨むようにパッケージに収容された撮像部と、前記パッケージの背面に設けられた複数の第１接続端子とを含んで構成され、
前記フレキシブル基板は、撮像素子載置部と、該撮像素子載置部から延出された延出部と、前記延出部の先端に設けられ前記撮像回路に連結される連結部とを含んで構成され、
前記撮像素子載置部は、前記フレキシブル基板の表面に設けられ前記各第１接続端子に合致する複数の第２接続端子を有し、
前記パッケージは、各第１接続端子をそれぞれ前記第２接続端子に半田付けにより接続させた状態で前記撮像素子載置部に取着され、
前記パッケージの厚さ方向から見て該パッケージとほぼ同じ輪郭かまたは該パッケージが含まれるように該パッケージよりも大きい輪郭を有するとともに前記各第１接続端子と前記各第２接続端子とを半田付けする際の加熱時の温度下において剛性が確保される性質を有する金属板が設けられ、
前記金属板は、前記撮像素子載置部の背面で前記パッケージの厚さ方向から見て該金属板の輪郭を前記パッケージの輪郭に合致させた位置でまたは該金属板の輪郭内に前記パッケージの輪郭が入る位置に取着されている、
ことを特徴とするレンズ鏡筒。
【請求項２】
前記パッケージは幅と前記幅より大きな寸法の長さとを有する矩形板状に形成され、前記撮像素子載置部を構成する前記フレキシブル基板の部分は前記パッケージの幅とほぼ同じ寸法の幅で形成されていることを特徴とする請求項１記載のレンズ鏡筒。
【請求項３】
前記パッケージは幅と前記幅より大きな寸法の長さとを有する矩形板状に形成され、前記撮像素子載置部を構成する前記フレキシブル基板の部分および前記延出部を構成する前記フレキシブル基板の部分は前記パッケージの幅とほぼ同じ寸法の幅で形成されていることを特徴とする請求項１記載のレンズ鏡筒。
【請求項４】
前記パッケージは幅と前記幅より大きな寸法の長さとを有する矩形板状に形成され、前記金属板は前記パッケージと同じ寸法の矩形板状に形成されていることを特徴とする請求項１記載のレンズ鏡筒。
【請求項５】
前記延出部を構成する前記フレキシブル基板の部分の表面に前記撮像素子および前記撮像回路との間で信号を授受する電子回路を構成するプリント基板が実装され、前記延出部と前記撮像素子載置部との境のフレキシブル基板の部分が屈曲され前記プリント基板が実装された前記フレキシブル基板の部分の背面と前記金属板とが重ね合わせて取着されていることを特徴とする請求項１記載のレンズ鏡筒。
【請求項６】
鏡筒の内部に設けられ被写体像を導く光学系と、
前記鏡筒の内部で前記光学系の光路上に設けられた撮像素子と、
前記撮像素子に接続され該撮像素子と前記鏡筒の外部に設けられた撮像回路との間で信号の伝送を行なうフレキシブル基板とを有するレンズ鏡筒を備える撮像装置であって、
前記撮像素子は、板状を呈するパッケージと、該パッケージの表面に臨むようにパッケージに収容された撮像部と、前記パッケージの背面に設けられた複数の第１接続端子とを含んで構成され、
前記フレキシブル基板は、撮像素子載置部と、該撮像素子載置部から延出された延出部と、前記延出部の先端に設けられ前記撮像回路に連結される連結部とを含んで構成され、
前記撮像素子載置部は、前記フレキシブル基板の表面に設けられ前記各第１接続端子に合致する複数の第２接続端子を有し、
前記パッケージは、各第１接続端子をそれぞれ前記第２接続端子に半田付けにより接続させた状態で前記撮像素子載置部に取着され、
前記パッケージの厚さ方向から見て該パッケージとほぼ同じ輪郭かまたは該パッケージが含まれるように該パッケージよりも大きい輪郭を有するとともに前記各第１接続端子と前記各第２接続端子とを半田付けする際の加熱時の温度下において剛性が確保される性質を有する金属板が設けられ、
前記金属板は、前記撮像素子載置部の背面で前記パッケージの厚さ方向から見て該金属板の輪郭を前記パッケージの輪郭に合致させた位置でまたは該金属板の輪郭内に前記パッケージの輪郭が入る位置に取着されている、
ことを特徴とする撮像装置。
【発明の詳細な説明】
【技術分野】
【０００１】
本発明はレンズ鏡筒および撮像装置に関する。
【背景技術】
【０００２】
従来から、撮像素子が鏡筒に組み込まれたレンズ鏡筒が提供されている。
このようなレンズ鏡筒では、多くの場合、撮像素子はその接続端子が硬いプリント基板上に半田付けで接続され、該プリント基板と鏡筒の外部に設けられた撮像回路との間がフレキシブル基板を介して接続されている。
そして、これらプリント基板およびフレキシブル基板からなる配線部材を介して撮像回路から撮像素子に駆動信号が供給されるとともに、撮像素子から出力される撮像信号が撮像回路に伝達されている（例えば特許文献１参照）。
【特許文献１】特開平１０−３３６４９６号公報
【発明の開示】
【発明が解決しようとする課題】
【０００３】
近年、レンズ鏡筒および撮像装置の小型化が求められているが、従来のレンズ鏡筒では、撮像素子と撮像回路との間を接続する配線部材として、硬いプリント基板とフレキシブル基板との２つの部材が必要であることから、レンズ鏡筒および撮像装置の小型化に伴い撮像素子を小型化しようとすると、これら２つの部材がスペースを占有するため小型化を図る上で不利がある。
また、硬いプリント基板を設けず、撮像素子を直接フレキシブル基板に半田付けする方法もあるが、レンズ鏡筒および撮像装置の小型化に伴いフレキシブル基板自体を小型化しようとすると、フレキシブル基板はその面積が小さい場合に半田付け時にフレキシブル基板に加わる熱で該フレキシブル基板の変形が助長される性質を有し、撮像素子と撮像回路との間の接続が確実に行なえない不利がある。
本発明はこのような事情に鑑みなされたものであり、その目的は、撮像素子と撮像回路との間を確実に接続でき、小型化を図る上で有利なレンズ鏡筒および撮像装置を提供することにある。
【課題を解決するための手段】
【０００４】
上述の目的を達成するため、本発明のレンズ鏡筒は、鏡筒の内部に設けられ被写体像を導く光学系と、前記鏡筒の内部で前記光学系の光路上に設けられた撮像素子と、前記撮像素子に接続され該撮像素子と前記鏡筒の外部に設けられた撮像回路との間で信号の伝送を行なうフレキシブル基板とを有するレンズ鏡筒であって、前記撮像素子は、板状を呈するパッケージと、該パッケージの表面に臨むようにパッケージに収容された撮像部と、前記パッケージの背面に設けられた複数の第１接続端子とを含んで構成され、前記フレキシブル基板は、撮像素子載置部と、該撮像素子載置部から延出された延出部と、前記延出部の先端に設けられ前記撮像回路に連結される連結部とを含んで構成され、前記撮像素子載置部は、前記フレキシブル基板の表面に設けられ前記各第１接続端子に合致する複数の第２接続端子を有し、前記パッケージは、各第１接続端子をそれぞれ前記第２接続端子に半田付けにより接続させた状態で前記撮像素子載置部に取着され、前記パッケージの厚さ方向から見て該パッケージとほぼ同じ輪郭かまたは該パッケージが含まれるように該パッケージよりも大きい輪郭を有するとともに前記各第１接続端子と前記各第２接続端子とを半田付けする際の加熱時の温度下において剛性が確保される性質を有する金属板が設けられ、前記金属板は、前記撮像素子載置部の背面で前記パッケージの厚さ方向から見て該金属板の輪郭を前記パッケージの輪郭に合致させた位置でまたは該金属板の輪郭内に前記パッケージの輪郭が入る位置に取着されていることを特徴とする。
また、本発明の撮像装置は、鏡筒の内部に設けられ被写体像を導く光学系と、前記鏡筒の内部で前記光学系の光路上に設けられた撮像素子と、前記撮像素子に接続され該撮像素子と前記鏡筒の外部に設けられた撮像回路との間で信号の伝送を行なうフレキシブル基板とを有するレンズ鏡筒を備える撮像装置であって、前記撮像素子は、板状を呈するパッケージと、該パッケージの表面に臨むようにパッケージに収容された撮像部と、前記パッケージの背面に設けられた複数の第１接続端子とを含んで構成され、前記フレキシブル基板は、撮像素子載置部と、該撮像素子載置部から延出された延出部と、前記延出部の先端に設けられ前記撮像回路に連結される連結部とを含んで構成され、前記撮像素子載置部は、前記フレキシブル基板の表面に設けられ前記各第１接続端子に合致する複数の第２接続端子を有し、前記パッケージは、各第１接続端子をそれぞれ前記第２接続端子に半田付けにより接続させた状態で前記撮像素子載置部に取着され、前記パッケージの厚さ方向から見て該パッケージとほぼ同じ輪郭かまたは該パッケージが含まれるように該パッケージよりも大きい輪郭を有するとともに前記各第１接続端子と前記各第２接続端子とを半田付けする際の加熱時の温度下において剛性が確保される性質を有する金属板が設けられ、前記金属板は、前記撮像素子載置部の背面で前記パッケージの厚さ方向から見て該金属板の輪郭を前記パッケージの輪郭に合致させた位置でまたは該金属板の輪郭内に前記パッケージの輪郭が入る位置に取着されていることを特徴とする。
【発明の効果】
【０００５】
そのため、本発明によれば、撮像素子が載置されるフレキシブル基板の部分の背面に金属板が取着されているので、撮像素子のパッケージおよび撮像素子載置部を構成するフレキシブル基板の部分が極めて小型化されているにも拘わらず、各第１接続端子と各第２接続端子とを半田付けする際に撮像素子載置部を構成するフレキシブル基板の部分が加熱されても該フレキシブル基板の部分に変形が生じること無く、各第１接続端子と各第２接続端子とを半田付けを確実に行なうことができ、撮像素子と画像処理部との間を確実に接続でき、小型化を図る上で有利となる。
【発明を実施するための最良の形態】
【０００６】
撮像素子と撮像回路との間を確実に接続しつつ小型化を図るという目的を、撮像素子が載置されるフレキシブル基板の部分の背面に金属板を取着することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１２８と、対物レンズ１４で捉えた被写体像を撮像素子１２８に導く光学系１０４などが設けられており、これら対物レンズ１４と光学系１０４によって特許請求の範囲の光学系が構成されている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８は画像処理部１３０から供給される駆動信号によって撮像動作を行なうとともに、該撮像素子１２８で撮像した像を撮像信号として画像処理部１３０に出力するように構成され、本実施例では画像処理部１３０によって本発明の撮像回路が構成されている。
画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ群１８、フォーカス用可動レンズ群２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１２８と、光学系１０４とを含んで構成されている。
本実施例では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像素子１２８と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
プリズム１６は、対物レンズ１４で捉えた像を下部に向けて（撮像素子１２８側に）反射させるもので本実施例ではプリズムが用いられている。プリズム１６は、部品収容空間１２０２Ａで対物レンズ１４に臨む箇所に配置されている。
第１の固定レンズ群２２とズーム用可動レンズ群１８とは、部品収容空間１２０２Ａ内でプリズム１６の下方に配置されている。
第１の固定レンズ群２２は、第１鏡筒分割体１２０２の取付部に組み込まれるレンズ２２０２と、このレンズ２２０２を前記取付部に固定させる押え部材２２０４（遮光枠を兼ねる）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ１８がメインガイド軸３８の回りに回転することを阻止している。サブガイド軸４０は第１鏡筒分割体１２０２と一体に形成されており、したがって、合成樹脂製である。サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１５】
図８、図１６に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、図１４に示すように、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
第２の固定レンズ群２４は、その光軸をズーム用可動レンズ群１８の光軸と一致させて内部部分１２０６Ａに取着され、また、第２固定レンズ２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
なお、第１鏡筒分割体１２０２と第３鏡筒分割体１２０６とは図１４に示すように、前記駆動部４４近傍の箇所でねじ２０２により取着され、第２鏡筒分割体１２０４と第３鏡筒分割体１２０６とは図９に示すように、右側面寄りの箇所によりねじ２０４により取着されている。
【００１７】
第２鏡筒分割体１２０４の内部には、本実施例では、上下に開放された断面が矩形の部品収容空間１２０４Ａが形成されており、第２鏡筒分割体１２０４の下部に撮像素子１２８取付用のホルダ４６が取着されることでこの部品収容空間１２０４Ａの下端は閉塞されている。したがって、本実施例では、第２鏡筒分割体１２０４はホルダ４６を含んで構成されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
延在部２０１２には、ロッド挿通孔２０１４が設けられ、また、図１６に示すように、鏡筒１２の長手方向において互いに対向するフランジ２０１６、２０１６が設けられ、これらフランジ２０１６、２０１６には、図９に示すように、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ群２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ群２６は、フォーカス用可動レンズ群２０の下方の部品収容空間１２０４Ａ箇所に配置され、第２鏡筒分割体１２０４の取付部に組み込まれる第３の固定レンズ群２６０２と、この第３の固定レンズ群２６０２を前記取付部に固定させる押え部材２６０４とで構成されている。
【００２１】
なお、図１１、図１２、図１３、図１７に示すように、部品収容空間１２０４Ａに臨む第２鏡筒分割体１２０４の後面箇所で第２鏡筒分割体１２０４Ａの上端と第２の固定レンズ群２４との間の箇所には凹凸部１２０４Ｃが設けられている。
また、部品収容空間１２０４Ａに臨む第２鏡筒分割体１２０４の後面箇所で第３の固定レンズ群２６と撮像素子１２８との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２２】
次に、撮像素子１２８の取付構造について説明する。
図１９は撮像素子１２８の取付構造を示す分解斜視図、図２０は図１９のＸＸ線断面図、図２１はホルダ４６に取着された撮像素子を斜め下方から見た状態を示す斜視図である。
図１０に示すように、鏡筒１２の下部には撮像素子１２８を配設するための撮像素子用取付部１２０５が設けられている。
撮像素子用取付部１２０５は、撮像素子１２８を部品収容空間１２０４Ａに臨ませる開口１２０４Ｂと、この開口１２０４Ｂの周囲に設けられた取付座１２０４Ｃとを備えている。
本実施例では、撮像素子１２８はホルダ４６により保持されて撮像素子ユニット５４が構成されており、この撮像素子ユニット５４が撮像素子用取付部１２０５に取付けられることで撮像素子１２８が鏡筒１２に配設されている。
【００２３】
図２０に示すように、撮像素子１２８は、撮像部１２８Ａと、この撮像部１２８Ａが収容されたパッケージ１２８Ｂとを含んで構成されている。
パッケージ１２８Ｂは、幅と前記幅より大きな寸法の長さとを有する矩形板状を呈し、例えば幅は５〜１０ｍｍ程度、長さは１０〜２０ｍｍ程度であり極めて小さい。
パッケージ１２８Ｂは、ケース１２８Ｃとシールガラス１２８Ｄとを備えている。
ケース１２８Ｃは、上面１２８Ｃ１と、４つの側面１２８Ｃ２と、下面１２８Ｃ３を有し、上面１２８Ｃ１に凹部１２８Ｅが形成され、撮像部１２８Ａはこの凹部１２８Ｅの底面にその受光面を上方に臨ませて取着されている。撮像部１２８Ａは、例えば、ＣＣＤやＣＭＯＳセンサなどによって構成されている。シールガラス１２８Ｄは凹部１２８Ｅを覆うようにケース１２８Ｃの上面１２８Ｃ１に取着されている。
また、ケース１２８Ｃの下面１２８Ｃ３には、撮像部１２８Ａと、前述した画像処理部１３０との間で前記駆動信号および撮像信号の授受を行なう配線部材としてのフレキシブル基板１２９が取着され、フレキシブル基板１２９の背面には金属板６４が取着されている。なお、撮像素子１２８、フレキシブル基板１２９、金属板６４については後に詳述する。
【００２４】
図１９に示すように、ホルダ４６は、パッケージ１２８Ｂの周囲を囲む枠部４６０２と、枠部４６０２から突出し撮像部１２８Ａを前記光学系の光路に臨ませた状態で取付座１２０４Ｃに取着される取付板部４６０４と、枠部４６０２に設けられた接着剤充填用欠部４６０６とを有している。
枠部４６０２はパッケージ１２８Ｂの形状に対応して互いに対向する２組の辺部を有して矩形枠状に形成されている。２組の辺部は、パッケージ１２８Ｂの側面の外方に臨む下壁４６０８と、下壁４６０８の上部に接続されパッケージ１２８Ｂの上面の上方に延在する上壁４６１０とを有している。
上壁４６１０の下壁４６０８寄り箇所には、上方を向いた矩形枠状の上面４６１２が形成されている。
取付板部４６０４は前記２組の辺部のうちの一方の１組の辺部からそれぞれ突設され、取付板部４６０４にはねじ挿通孔４６１４が形成され、取付板部４６０４の両側と下壁４６０８とは補強リブ４６１６により連結されている。
【００２５】
接着剤充填用欠部４６０６は前記２組の辺部のうちの他方の１組の辺部の下壁４６０８にそれぞれ設けられている。
接着剤充填用欠部４６０６は、パッケージ１２８Ｂの側面１２８Ｃ２の延在方向に延在するように横長に形成されている。
本実施例では、接着剤充填用欠部４６０６は下壁４６０８の下端に開放状に形成され、パッケージ１２８Ｂの側面１２８Ｃ２の延在方向に間隔をおいて３つ設けられている。
また、本実施例では、接着剤充填用欠部４６０６のパッケージ１２８Ｂの側面１２８Ｃ２の延在方向における寸法は、下壁４６０８の下端から離れるにつれて次第に大きくなるように形成されている。すなわち、互いに対向して接着剤充填用欠部４６０６を構成する一対の縁部４６０４Ａの間は、下壁４６０８の下端から離れるにつれて次第に大きくなる寸法で形成され、一対の縁部１６０４Ａは傾斜している。
【００２６】
枠部４６０２の前記２組の辺部の上壁４６１０の内側でパッケージ１２８Ｂの上面周囲に枠状のシールゴム５６が配設され、シールゴム５６の内側に撮像部１２８Ａに臨む空間５７が形成されている。
この空間５７を閉塞するようにシールゴム５６の上端に枠状の遮光シート５８を介して板状のフィルタ６０が配設されている。本実施例ではフィルタ６０はローパスフィルタによって構成されている。
フィルタ６０は、上壁４６１０に取着された押え部材６２により遮光シート５８を介してシールゴム５６の上端を押さえ付けるように配設されており、シールゴム５６はフィルタ６０により圧縮されている。押え部材６２は、該押え部材６２の係合溝６２０２に上壁４６１０の係合爪４６１１が係合することでホルダ４６に取着されている。
したがって空間５７はシールゴム５６、遮光シート５８、フィルタ６０などにより閉塞され、塵埃などの侵入が防止されている。
【００２７】
次に、ホルダ４６を用いた撮像素子ユニット５４の組立について説明する。
まず、不図示の組立治具などを用いて撮像素子１２８をホルダ４６に対して位置決めする。
すなわち、例えば、フレキシブル基板１２９に取着された撮像素子１２８と、ホルダ４６とを不図示の組立治具に取付け、撮像素子１２８のパッケージ１２８Ｂの４つの側面１２８Ｃ２に対してホルダ４６の下壁４６０８を平行させつつパッケージ１２８Ｂの上面の上方にホルダ４６を位置させる。
この状態で、ホルダ４６の取付板部４６０４を基準として撮像素子１２８の位置、すなわちパッケージ１２８Ｂの位置を調整する。具体的には、撮像素子ユニット５４が撮像素子用取付部１２０５に取付けられたときに、撮像部１２８Ａの受光面の中心が前記光学系の光軸と一致し、かつ、該光軸と直交するように撮像素子１２８の位置調整がなされる。このような位置調整は、所定のテストチャート（テストパターン）を撮像素子１２８で撮像させ、該撮像素子１２８から得られた撮像信号に基づいて生成された画像データに基づいて行なうことができる。
前記位置調整が完了したならば、図２１に示すように、位置調整がなされた撮像素子１２８とホルダ４６とを反転させる。
そして、ホルダ４６の各接着剤充填用欠部４６０６に接着剤塗布用のシリンジなどによってＵＶ硬化型接着剤Ｓが充填される。
この際、各接着剤充填用欠部４６０６は、下壁４６０８の下端に開放状に形成されており、反転させることにより各接着剤充填用欠部４６０６は上方に開放状となることから、ＵＶ硬化型接着剤Ｓの充填が容易かつ確実になされる。そして、ＵＶ硬化型接着剤Ｓはパッケージ１２８Ｂの側面１２８Ｃ２と各接着剤充填用欠部４６０６との間、および、側面１２８Ｃ２と各接着剤充填用欠部４６０６の周囲の下壁４６０８内面との間に保持された状態となる。
次いで、各接着剤充填用欠部４６０６に充填されたＵＶ硬化型接着剤Ｓに対して紫外線を照射し硬化させる。この際、各接着剤充填用欠部４６０６は、ホルダ４６の下壁４６０８の外側に露出していること、また、図２１に示すように、パッケージ１２８Ｂの側面１２８Ｃ２とホルダ４６の下壁４６０８との間は上方に開放状に形成されていることから、充填されたＵＶ硬化型接着剤Ｓに対する紫外線の照射が容易かつ確実になされる。
これにより、撮像素子１２８とホルダ４６は位置決めされた状態で接着される。
【００２８】
次に、このように撮像素子１２８が接着されたホルダ４６に対してシールゴム５６、遮光シート５７、フィルタ６０、押え部材６２を組付ける。
すなわち、図１９に示すように、ホルダ４６の枠部４６０２の前記２組の辺部の上壁４６１０の内側でパッケージ１２８Ｂの上面周囲に、枠状のシールゴム５６、シールゴム５６、遮光シート５８をこの順番で載置していき、次いで押え部材６２を上壁４６１０に取着する。
このようにして撮像素子ユニット５４が組み立てられる。
【００２９】
鏡筒１２の撮像素子用取付部１２０５に対する撮像素子ユニット５４の取付は、鏡筒１２の開口１２０４Ｂにホルダ４６の上壁４６１０部分を挿入し、鏡筒１２の取付座１２０４Ｃに撮像素子ユニット５４の取付板部４６０４を当接させ、ねじ挿通孔４６１４に挿通したねじを取り付け座１２０４のねじ孔に螺合し締結することによってなされる。
なお、撮像素子用取付部１２０５と撮像素子ユニット５４とには、例えば、ノックピンと、該ノックピンが挿入される位置決め孔などの従来公知の位置決め手段が設けられており、鏡筒１２の開口１２０４Ｂにホルダ４６の上壁４６１０部分を挿入し、鏡筒１２の取付座１２０４Ｃに撮像素子ユニット５４の取付板部４６０４を当接させた状態で位置決めされるように構成されている。
【００３０】
次に、撮像素子１２８と、フレキシブル基板１２９と、金属板６４との取付構造および組立について説明する。
図２２は撮像素子１２８、フレキシブル基板１２９、金属板６４の分解斜視図、図２３は撮像素子１２８、フレキシブル基板１２９、金属板６４の組立状態の斜視図、図２４は図２３のＡ矢視図、図２５は撮像素子１２８の第１接続端子６６とフレキシブル基板１２９の第２接続端子６８の説明図、図２６は撮像素子１２８の第１接続端子６６とフレキシブル基板１２９の第２接続端子６８の半田付けの説明図、図２７は図２６のＸＸ線断面図、図２８は撮像素子１２８とフレキシブル基板１２９と金属板６４の位置関係を示す説明図であり、（Ａ）は平面図、（Ｂ）は（Ａ）のＢ矢視図である。
【００３１】
図２２に示すように、撮像素子１２８のパッケージ１２８Ｂのケース１２８Ｃの下面１２８Ｃ３（背面）には複数の第１接続端子６６が設けられている。
各第１接続端子６６は、ケース１２８Ｃの下面１２８Ｃ３の対向する一組の長辺箇所に該長辺の延在方向に間隔をおいて形成されている。
さらに詳しくは、図２５、図２７に示すように、ケース１２８Ｃの下面１２８Ｃ３の対向する一組の長辺箇所に該長辺の延在方向に間隔をおいて複数の半円筒状凹部が形成されており、これら半円筒状凹部は、ケース１２８Ｃの下面１２８Ｃ３に半円状に開口され、ケース１２８Ｃの側面１２８Ｃ２に長方形状に開口されている。第１接続端子６６は、これらの円筒状凹部の内周面と該内周面に接続する下面１２８Ｃ箇所に設けられたメッキ層６６０２で構成されている。
【００３２】
図２２に示すように、フレキシブル基板１２９は、撮像素子１２８が載置される撮像素子載置部７０と、該撮像素子載置部７０から延出された延出部７２と、延出部７２の先端に設けられ画像処理部１３０に連結される連結部７４とを含んで構成されている。
撮像素子載置部７０は、フレキシブル基板１２９の部分と、このフレキシブル基板１２９の部分の表面に前記各第１接続端子６６に合致するように設けられた複数の第２接続端子６８とを有している。
本実施例では、撮像素子載置部７０を構成するフレキシブル基板１２９の部分および延出部７２を構成するフレキシブル基板１２９の部分の幅はパッケージ１２８Ｂの幅とほぼ同じ寸法で形成されている。本実施例では、撮像素子載置部７０を構成するフレキシブル基板１２９の部分および延出部７２を構成するフレキシブル基板１２９の部分の幅はパッケージ１２８Ｂの幅よりも僅かに大きい寸法で形成されている。
各第２接続端子６８は図２５に示すようにフレキシブル基板１２９の部分の表面に設けられたメッキ層６８０２で構成されている。より詳細には、各第２接続端子６８は、撮像素子載置部７０を構成するフレキシブル基板１２９の部分の幅方向の両側で撮像素子載置部７０の長手方向に間隔をおいて設けられている。
図２４に示すように、撮像素子１２８のパッケージ１２８Ｂは、各第１接続端子６６をそれぞれ第２接続端子６８に半田付けにより接続させた状態でフレキシブル基板１２９の部分に取着され、すなわちパッケージ１２８Ｂは撮像素子載置部７０に取着されている。
【００３３】
金属板６４は、パッケージ１２８Ｂの厚さ方向から見て該パッケージ１２８Ｂとほぼ同じ輪郭かまたは該パッケージ１２８Ｂが含まれるように該パッケージ１２８Ｂよりも大きい輪郭を有している。
金属板６４は、撮像素子載置部７０を構成するフレキシブル基板１２９の部分の背面でパッケージ１２８Ｂの厚さ方向から見てパッケージ１２８Ｂの輪郭に一致させた位置で、あるいは、該金属板６４の輪郭内にパッケージ１２８Ｂの輪郭が入る位置に接着などによって取着されている。
本実施例では、金属板６４は、パッケージ１２８Ｂの幅とほぼ同じ寸法の幅およびパッケージ１２８Ｂの長さとほぼ同じ寸法の長さで矩形板状に形成され、パッケージ１２８Ｂの厚さ方向から見て金属板６４の輪郭とパッケージ１２８Ｂの輪郭とは一致している。
また、金属板６４は、各第１接続端子６６と各第２接続端子６８とを半田付けする際の加熱時の温度下において剛性が確保される性質を有する金属材料で形成されている。このような金属材料としてアルミなどを用いることができる。
【００３４】
また、本実施例では、図２２に示すように、延出部７２を構成するフレキシブル基板１２９の部分の表面には、撮像素子１２８および画像処理部１３０との間で信号を授受する、例えば撮像信号を増幅する電子回路などを有するプリント基板７８が実装される。
なお、このプリント基板７８を使わずに、フレキシブル基板１２９に部品等を直接実装してこの電子回路を構成するようにしてもよい。
図２３、図２４に示すように、延出部７２を構成するフレキシブル基板１２９の部分と撮像素子載置部７０を構成するフレキシブル基板１２９の部分との境が屈曲され、プリント基板７８が実装されたフレキシブル基板１２９の部分の背面と金属板６４とが重ね合わせて取着されている。
【００３５】
撮像素子１２８とフレキシブル基板１２９と金属板６４との組立は次のようになされる。
パッケージ１２８Ｂを撮像素子載置部７０に取着する前に、まず、金属板６４を、撮像素子載置部７０を構成するフレキシブル基板１２９の部分の背面に取着する。
この場合、金属板６４は、フレキシブル基板１２９の厚さ方向から見て、各第２接続端子６８が該金属板６４の長辺に沿った箇所に位置するように取着される。
次いで、撮像素子載置部７０の各第２接続端子６８に半田ペーストを塗布し、その状態でパッケージ１２８Ｂを、各第１接続端子６６を各第２接続端子６８に合致させて撮像素子載置部７０を構成するフレキシブル基板１２９の部分の表面に載置する。これにより、各第１接続端子６６と各第２接続端子６８との双方に前記半田ペーストが付着した状態となる。
この状態で、リフロー方式によって前記半田ペーストを加熱溶融し、各第１接続端子６６と各第２接続端子６８とを半田付けする。
このような半田付けによって、図２６、図２７に示すように、各第１接続端子６６と各第２接続端子６８との間が半田Ｈによって接続された状態となり、これにより、図２８（Ａ）、（Ｂ）に示すように、パッケージ１２８Ｂの厚さ方向から見て金属板６４の輪郭と、パッケージ１２８Ｂの輪郭とが合致した状態で、パッケージ１２８Ｂが撮像素子載置部７０に取着される。
次いで、延出部７２を構成するフレキシブル基板１２９の部分の表面にプリント基板７８を実装し、延出部７２を構成するフレキシブル基板１２９の部分と撮像素子載置部７０を構成するフレキシブル基板１２９の部分との境を屈曲し、図２３、図２４に示すように、プリント基板７８が実装されたフレキシブル基板１２９の部分の背面と金属板６４とを重ね合わせて接着剤などにより取着する。
このようにして撮像素子１２８とフレキシブル基板１２９と金属板６４とが組立てられる。
【００３６】
本実施例によれば、金属板６４は、フレキシブル基板１２９の撮像素子載置部７０の背面でパッケージ１２８Ｂの厚さ方向から見て該金属板６４の輪郭をパッケージ１２８Ｂの輪郭に合致させた位置でまたは該金属板６４の輪郭内にパッケージ１２８Ｂの輪郭が入る位置に取着されている。したがって、撮像素子１２８のパッケージ１２８Ｂおよび撮像素子載置部７０を構成するフレキシブル基板１２９の部分が極めて小型化されているにも拘わらず、各第１接続端子６６と各第２接続端子６８とを半田付けする際に撮像素子載置部７０を構成するフレキシブル基板１２９の部分が加熱されても該フレキシブル基板１２９の部分に変形が生じること無く、各第１接続端子６６と各第２接続端子６８とを半田付けを確実に行なうことができ、フレキシブル基板１２９の占有スペースを削減しつつレンズ鏡筒１０および撮像装置１００の小型化を図る上で有利となる。
また、半田付け時にフレキシブル基板１２９の部分に加えられる熱が金属板６４によって平均化されて各第１接続端子６６と各第２接続端子６８に伝わるため、半田付けの品質を向上する上で有利となる。
また、金属板６４がフレキシブル基板１２９を挟んで撮像素子１２８のパッケージ１２８Ｂの背面側に位置しているため、撮像素子１２８に影響する不要輻射を抑制する上で有利となる。特に金属板６４をアースすることによって不要輻射の抑制効果をより向上させることができる。
また、本実施例では、プリント基板７８が実装されたフレキシブル基板１２９の部分の背面と金属板６４とが重ね合わせて取着されているため、プリント基板７８に影響する不要輻射を抑制する上でも有利となり、この場合にも金属板６４をアースすることによって不要輻射の抑制効果をより向上させることができる。
【００３７】
なお、本実施例においては、撮像装置としてデジタルスチルカメラを例示したが、本発明はビデオカメラやテレビカメラなど撮像装置に無論適用可能である。
【図面の簡単な説明】
【００３８】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ群１８、フォーカス用可動レンズ群２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【図１９】撮像素子１２８の取付構造を示す分解斜視図である。
【図２０】図１９のＸＸ線断面図である。
【図２１】ホルダ４６に取着された撮像素子を斜め下方から見た状態を示す斜視図である。
【図２２】撮像素子１２８、フレキシブル基板１２９、金属板６４の分解斜視図である。
【図２３】撮像素子１２８、フレキシブル基板１２９、金属板６４の組立状態の斜視図である。
【図２４】図２３のＡ矢視図である。
【図２５】撮像素子１２８の第１接続端子６６とフレキシブル基板１２９の第２接続端子６８の説明図である。
【図２６】撮像素子１２８の第１接続端子６６とフレキシブル基板１２９の第２接続端子６８の半田付けの説明図である。
【図２７】図２６のＸＸ線断面図である。
【図２８】撮像素子１２８とフレキシブル基板１２９と金属板６４の位置関係を示す説明図である。
【符号の説明】
【００３９】
６４……金属板、６６……第１接続端子、６８……第２接続端子、７０……撮像素子載置部、１００……撮像装置、１２８……撮像素子、１２８Ｂ……パッケージ、１２９……フレキシブル基板。
【図１】
2005124099.tif 000003
【図２】
2005124099.tif 000004
【図３】
2005124099.tif 000005
【図４】
2005124099.tif 000006
【図５】
2005124099.tif 000007
【図６】
2005124099.tif 000008
【図７】
2005124099.tif 000009
【図８】
2005124099.tif 000010
【図９】
2005124099.tif 000011
【図１０】
2005124099.tif 000012
【図１１】
2005124099.tif 000013
【図１２】
2005124099.tif 000014
【図１３】
2005124099.tif 000015
【図１４】
2005124099.tif 000016
【図１５】
2005124099.tif 000017
【図１６】
2005124099.tif 000018
【図１７】
2005124099.tif 000019
【図１８】
2005124099.tif 000020
【図１９】
2005124099.tif 000021
【図２０】
2005124099.tif 000022
【図２１】
2005124099.tif 000023
【図２２】
2005124099.tif 000024
【図２３】
2005124099.tif 000025
【図２４】
2005124099.tif 000026
【図２５】
2005124099.tif 000027
【図２６】
2005124099.tif 000028
【図２７】
2005124099.tif 000029
【図２８】
2005124099.tif 000030